(57)【要約】【課題】定着ローラが停止している時に外部加熱ローラが当接してしまう場合においても、定着ローラを傷や劣化から保護する。【解決手段】定着装置は、定着ヒータを内蔵する定着ローラと、加圧ヒータを内蔵する加圧ローラと、定着ローラの外周面に接離可能に設けられ、外部加熱ヒータを内蔵する外部加熱ローラを有する。定着ヒータ，加圧ヒータ及び外部加熱ヒータに対する電力供給は定着リレーのオン・オフによって通電／遮断され、定着ローラは定着モータによって回転駆動される。定着リレー制御信号がＨでオン状態、かつ定着モータの回転検知信号がＨで停止状態、かつ定着ローラと外部加熱ローラとの接離を示す接離センサ信号がＬで当接である状態が、予め設定された所定時間ｔの間持続した場合に、接離機構の異常状態であると検知する。【選択図】  図４
2004341177.tif 000002
【特許請求の範囲】
【請求項１】
第一の加熱体を有し、記録材上の未定着像を熱により記録材に定着する定着部材と、第二の加熱体を有し、外部から定着部材を加熱する外部加熱体と、定着部材を回転させる回転駆動手段と、外部加熱体を定着部材に接離可能とする接離手段と、第一の加熱体と第二の加熱体へ電力を供給遮断するスイッチ素子と、を有する定着装置において、
回転駆動手段と接離手段とスイッチ素子との動作に基づいて外部加熱体の加熱動作の異常を判断する異常判断手段を有することを特徴とする定着装置。
【発明の詳細な説明】
【０００１】
【発明の属する技術分野】
本発明は、複写機、レーザビームプリンタ、あるいはファクシミリ等の画像形成装置に使用される定着装置及びその異常処理方法に関する。
【０００２】
【従来の技術】
従来、複写機やレーザビームプリンタ、あるいはファクシミリ等の画像形成装置において、転写用紙上に転写された未定着トナー像を加熱定着する定着装置としては、ハロゲンランプ等の加熱体が内蔵された定着ローラと、同じく加熱体が内蔵され、この定着ローラに圧接する加圧ローラを備え、未定着トナー像を担持した記録シートをこれら定着ローラと加圧ローラとの間に挿通させることによって、上記定着ローラの表面温度によって軟化したトナーを記録シートの繊維間に浸透させ、かかる未定着トナー像を記録シートに対して定着させるように構成したものが知られている。
【０００３】
定着ローラ及び、加圧ローラの加熱体のハロゲンランプは、定着ローラ、加圧ローラの各々の表面に取り付けられた温度センサからの信号に基づいて、オン・オフ制御され、表面が所定の温度に制御されるようになっている。
【０００４】
このように構成される加熱ローラ方式の定着装置においては、定着ローラの弾性層の弾性変形によって、両ローラの圧接部（以下、「ニップ部」という。）が形成される。そして、かかる定着装置では、ニップ部に未定着トナー像を担持した転写用紙を通過させることによって、熱エネルギーと圧力により未定着トナー像を溶融して転写用紙上に定着するものである。
【０００５】
上記の如く構成される定着装置の場合には、定着ローラ及び加圧ローラが弾性層を有しているが、これらの弾性層は、ある程度の厚さを有するシリコーンゴム等の弾性体からなり、比較的熱伝導率が低い。そのため、上記定着装置では、用紙走行時に定着ローラや加圧ローラの表面の温度が所定の温度より低下した場合、この温度低下を各々の温度センサによって検知して、それぞれのハロゲンランプに通電しても、当該ハロゲンランプの熱が弾性層を介して表面に伝わるまでに時間を必要とし、定着不良を発生するおそれがある。特に、プロセススピードを上げていった場合に、定着不良が発生しやすくなり、この定着不良の発生を防止するためには、連続プリントが制限されるという問題点が生じる。
【０００６】
そこで、かかる問題点に対する解決策として、特許文献１や特許文献２に開示されているように、定着ローラの表面に高温に維持した外部加熱ローラを当接させて、定着ローラ表面の温度低下を緩和する技術が既に提案されている。
【０００７】
しかし、このような定着装置の場合には、外部加熱ローラと定着ローラの表面温度制御が適切な温度内に制御されている場合においても、定着ローラの回転停止時に外部加熱ローラを当接し続けた場合には、外部加熱ローラが定着ローラ表面の一点を熱し続けてしまうために、その部分に傷や劣化が生ずるといった問題があった。このように定着ローラの表面が劣化すると、画像部におこるすじ、光沢不良等の画像欠陥、定着ローラの表面の離型性の低下によるトナーの付着（オフセット）や、用紙の剥離不良等の問題が発生する。
【０００８】
このような問題点に対しては、特許文献３に開示されているように、外部加熱ローラを定着ローラに圧接するまでに、定着ローラを回転駆動手段によって空回転させる技術がすでに提案されている。
【０００９】
【特許文献１】
特開平１０−１４９０４４号公報
【特許文献２】
特開平１１−２４４８９号公報
【特許文献３】
特開平１１−２４４６１号公報
【００１０】
【発明が解決しようとする課題】
しかしながら、上記従来技術の場合には、次のような問題点を有している。すなわち、外部加熱ローラを定着ローラに圧接するまでに、定着ローラを回転させるのみでは、回転駆動手段の異常停止や、外部加熱ローラを接離させるための接離手段の動作不良、および回転駆動手段や接離手段を制御するソフトウェアの暴走時等には、定着ローラが回転していない場合にも、外部加熱ローラを定着ローラに当接させてしまう可能性が残る。このような場合には、前述の理由の通り、定着ローラ表面の傷や劣化に至る。特に外部加熱ローラについては、定着ローラよりも更に高い温度に設定される為に、定着ローラ表面へのダメージは避けられず、適切な保護機構が要求される。
【００１１】
そこで、本発明は、上記従来技術の問題点を解決するためになされたものであり、定着部材の回転駆動手段の異常停止や、外部加熱体の接離手段の動作不良、およびこれらを制御するソフトウェアの暴走等により、定着部材が停止している時に外部加熱体が当接してしまう場合においても、定着部材を傷や劣化から保護することを目的とする。
【００１２】
【課題を解決するための手段】
上記の課題を解決するために、本発明は、第一の加熱体を有し、記録材上の未定着像を熱により記録材に定着する定着部材と、第二の加熱体を有し、外部から定着部材を加熱する外部加熱体と、定着部材を回転させる回転駆動手段と、外部加熱体を定着部材に接離可能とする接離手段と、第一の加熱体と第二の加熱体へ電力を供給遮断するスイッチ素子と、を有する定着装置において、
回転駆動手段と接離手段とスイッチ素子との動作に基づいて外部加熱体の加熱動作の異常を判断する異常判断手段を有することを特徴とする定着装置である。
【００１３】
このようにすれば、定着部材を回転駆動する手段の異常停止や、外部加熱体を定着部材に当接及び離間させる手段の動作不良、およびこれらを制御するソフトウェアの暴走等により、定着部材が停止している時に外部加熱体が当接してしまう場合においても、定着部材を傷や劣化から保護することができる。
【００１４】
ここで、外部加熱体としては、例えば、内部に加熱体を有するローラ状の部材が用いられるが、これに限定されるものではなく、定着部材の表面を外部から加熱することが可能な部材であれば、他の構成のものを用いてもよい。
【００１５】
前記回転駆動手段が回転又は停止のいずれの状態にあるかを検知する回転検知手段を備え、前記異常判断手段は、前記回転検知手段の検知結果に基づいて、前記回転駆動手段が回転又は停止のいずれの状態にあるかを判断することが好適である。
【００１６】
前記外部加熱体が、前記定着部材に対して当接又は離間のいずれの状態にあるかを検知する接離検知手段を備え、前記異常判断手段は、前記接離検知手段の検知結果に基づいて、前記外部加熱体が前記定着手段に対して当接又は離間のいずれの状態にあるかを判断することが好適である。
【００１７】
オン・オフを切り替えて、前記第１の加熱体と電源との間を電気的に接続及び切断する前記スイッチ素子としての第１のスイッチ手段と、オン・オフを切り替えて、前記第２の加熱体と電源との間を電気的に接続及び切断する前記スイッチ素子としての第２のスイッチ手段と、前記第１のスイッチ手段に対して制御信号を出力して、該第１のスイッチ手段のオン・オフを制御する第１のスイッチ制御手段と、前記第２のスイッチ手段に対して制御信号を出力して、該第２のスイッチ手段のオン・オフを制御する第２のスイッチ制御手段と、を備え、前記異常判断手段は、前記第１のスイッチ制御手段から前記第１のスイッチ手段に対して出力される制御信号及び前記第２のスイッチ制御手段から前記第２のスイッチ手段に出力される制御信号に基づいて、前記第１及び第２の加熱体が通電されているか否かを判断することが好適である。
【００１８】
オン・オフを切り替えて、前記第１及び第２の加熱体と電源との間を共通して電気的に接続及び切断する前記スイッチ素子としての共通スイッチ手段と、前記共通スイッチ手段に対して制御信号を出力して、該共通スイッチ手段のオン・オフを制御する共通スイッチ制御手段と、を備え、前記異常判断手段は、前記共通スイッチ制御手段から前記共通スイッチ手段に対して出力される制御信号に基づいて、前記第１及び第２の加熱体が通電されているか否かを判断することが好適である。
【００１９】
前記定着部材に圧接し、該定着部材との間に前記画像記録媒体を挟持する加圧部材と、前記加圧部材の内部に設けられた第３の加熱体と、を備え、前記異常判断手段は、前記外部加熱体が前記定着部材に対して当接又は離間のいずれの状態にあるかと、前記回転駆動手段が回転又は停止のいずれの状態にあるかと、前記第１，第２及び第３の加熱体が通電されているか否かに基づいて、前記外部加熱体による前記定着部材に対する加熱動作の異常を判断することが好適である。
【００２０】
前記加圧部材としては、例えば、ローラ状の部材が用いられるが、これに限定されるものではなく、ベルト状の部材を定着部材の表面に圧接するように構成した加圧部材を用いてもよい。
【００２１】
前記異常判断手段は、前記第１及び第２の加熱体の少なくともいずれかが通電されており、かつ、前記回転駆動手段が停止しており、かつ、前記外部加熱体が前記定着部材に当接している状態が、所定時間継続した場合に、前記外部加熱体による前記定着部材に対する加熱動作の異常であると判断することが好適である。
【００２２】
前記異常判断手段が異常と判断した場合に、通電されている前記第１及び第２の加熱体の少なくともいずれかに対する通電を遮断する制御手段を備えることが好適である。
【００２３】
前記異常判断手段は、前記第１，第２及び第３の加熱体の少なくともいずれかが通電されており、かつ、前記回転駆動手段が停止しており、かつ、前記外部加熱体が前記定着部材に当接している状態が、所定時間継続した場合に、前記外部加熱体による前記定着部材に対する加熱動作の異常であると判断することが好適である。
【００２４】
前記異常判断手段が異常と判断した場合に、通電されている前記第１，第２及び第３の加熱体の少なくともいずれかに対する通電を遮断する制御手段を備えることが好適である。
【００２５】
前記第１及び第２のスイッチ手段の少なくともいずれかを半導体スイッチ又はリレーによって構成することが好適である。
【００２６】
前記共通スイッチ手段を半導体スイッチ又はリレーによって構成することが好適である。
【００２７】
また、本発明は、未定着画像を画像記録媒体上に加熱・加圧定着させる定着装置であって、回転駆動されるとともに、内部に第１の加熱体を有し、前記画像記録媒体を加熱する定着部材と、前記定着部材に接離するとともに、内部に第２の加熱体を有し、前記定着部材を外部から加熱する外部加熱体と、を備えた定着装置において、前記外部加熱体による前記定着部材に対する加熱動作の異常を処理する異常処理方法であって、前記外部加熱体が前記定着部材に対して当接又は離間のいずれの状態にあるかを判断するステップと、前記定着部材が回転駆動されているか停止しているかを判断するステップと、前記第１及び第２の加熱体が通電されているか否かを判断するステップと、前記外部加熱体が前記定着部材に対して当接又は離間のいずれの状態にあるかと、前記回転駆動手段が回転又は停止のいずれの状態にあるかと、前記第１及び第２の加熱体の少なくともいずれかが通電されているか否かに基づいて、前記外部加熱体による前記定着部材に対する加熱動作の異常の有無を判断するステップと、を有する異常処理方法である。
【００２８】
外部加熱体による前記定着部材に対する加熱動作の異常の有無を判断するステップにおいて、前記前記第１及び第２の加熱体の少なくともいずれかが通電されており、かつ、前記回転駆動手段が停止しており、かつ、前記外部加熱体が前記定着部材に当接しているとの判断された状態が、所定時間又は所定回数継続した場合に、前記外部加熱体による前記定着部材に対する加熱動作の異常であると判断することが好適である。
【００２９】
さらに、前記外部加熱体による前記定着部材に対する加熱動作の異常であると判断した場合に、通電されている前記第１及び第２の加熱体の少なくともいずれかに対する通電を遮断するステップを含むことが好適である。
【００３０】
【発明の実施の形態】
以下に、この発明の実施の形態について図面を参照して説明する。
【００３１】
図１はこの発明の実施の形態に係る定着装置を適用した画像形成装置としてのカラー複写機を示すものである。なお、本発明の実施形態に係る定着装置は、プリンターやファクシミリ等の画像形成装置であっても同様に適用できるものである。
【００３２】
（画像形成装置の全体構成）
図２において、４０はカラー電子写真複写機の本体を示すものであり、このカラー電子写真複写機本体の上部には、原稿４４を１枚ずつ分離した状態で自動的に搬送する自動原稿搬送装置４１と、当該自動原稿搬送装置４１によって搬送される原稿４４の画像を読み取る原稿読取装置４２が配設されている。この原稿読取装置４２は、プラテンガラス４３上に載置された原稿４４を光源４５によって照明し、原稿４４からの反射光像を、光学ミラー４６，４７，４８及び、結像レンズ４９からなる縮小光学系を介して、ＣＣＤ等からなる画像読み取り素子５０上に走査露光して、この画像読み取り素子５０によって原稿４４の色材反射光像を所定のドット密度で読み取るようになっている。
【００３３】
上記原稿読取装置４２にて読み取られた原稿４４の色材反射光像は、Ｒ（赤），Ｇ（緑），Ｂ（青）の３色のデータとして画像処理装置５１に送られ、この画像処理装置では、原稿４４のＲ，Ｇ，Ｂデータに対して、シェーディング補正、ガンマ補正、色空間処理等の画像処理が施される。
【００３４】
そして画像処理装置５１で所定の画像処理が施された画像データは、Ｙ（イエロー），Ｍ（マゼンタ），Ｃ（シアン），Ｋ（ブラック）の画像データとして画像制御部５に送られ、この画像制御部５では、画像データに応じて、レーザ光による画像露光が行われる。
【００３５】
露光装置５による画像の露光は、感光体ドラム１（以下、単に「感光体」という）に施される。ドラム１は図示しないモータで矢印Ａの方向に回転できるように設けられている。感光体１の周囲には、一次帯電器４、電位センサ３７、画像制御部５、カラー現像ユニット７、白黒現像ユニット８、転写帯電器９、クリーナ装置６が配置されている。
【００３６】
画像の形成は、まず、帯電装置４に電圧を印加して感光体１の表面を予定の帯電部電位で一様にマイナス帯電させる。この帯電レベルは電位センサ３７により検出され、この検出結果をもとに帯電装置４の出力強度はフィードバック制御される。続いて、レーザースキャナからなる露光装置５は、画像データをもとに、帯電された感光体１上の画像部分が予定の露光部電位になるように露光を行い潜像が形成される。画像制御部５は画像データに基づいてオン・オフすることにより、画像に対応した潜像を形成する。
【００３７】
カラー現像ユニット７はフルカラー現像のための３台の現像装置７Ｙ，７Ｍ，７Ｃ，からなる。カラー現像装置７Ｙ，７Ｍ，７Ｃ，及び白黒現像装置８は、感光体１上の潜像をそれぞれＹ、Ｍ、Ｃ、Ｋのトナーで現像する。各色のトナーを現像する際には、図示しないモータによってカラー現像ユニット７を矢印Ｒ方向に回転させ、当該色の現像装置が感光体１に当接するように位置合わせされる。
【００３８】
感光体１上に現像された各色のトナー像は、転写装置９によって中間転写体としてのベルト２に順次転写されて、４色のトナー像が重ね合わされる。ベルト２を挟んで転写ベルト駆動ローラ１０と対向する位置にはベルトクリーナ１４が設けられていて、ベルト２上の残留トナーがブレードで掻き落とされる。
【００３９】
ベルト２に転写されたトナー像は、さらに２次転写装置１５で記録紙（画像記録媒体）に転写される。フルカラープリント時はベルト上で４色のトナーが重ね合わされた後、記録紙に転写される。上記記録紙は、記録紙カセット１６からピックアップローラ１７で搬送路に引き出され、搬送ローラ対１８及び、１９によってニップ部、つまり２次転写装置１５とベルト２との当接部に給送される。
【００４０】
また、感光体１上に残留したトナーは予備清掃装置でトナーの帯電を、クリーニングしやすい状態にし、クリーナ装置６で除去・回収され、最後に、感光体１は除電装置（不図示）で一様に０ボルト付近まで除電されて、次の画像形成サイクルに備える。
【００４１】
トナー像が転写された記録紙は、その後、定着装置３に送給される。記録紙上のトナー像は、定着装置３で熱定着されて装置外へ排出される。
【００４２】
さて、上記カラー複写機の画像形成タイミングは、ベルト２上の所定位置を基準として制御されている。ベルト２はローラ１０，１１，１２，１３に張架されている。これらのうち、転写ベルト駆動ローラ１０は図示しない駆動源に結合されてベルト２を駆動する駆動ローラとして機能し、転写ベルトテンションローラ１１，１２はベルト２の張力を調節するテンションローラとして機能し、バックアップローラ１３は２次転写装置としての転写ローラ１５のバックアップローラとして機能する。
【００４３】
テンションローラ１２付近には、基準位置を検知する反射型センサ２０が配置されている。反射型センサ２０はベルト２の外周面端部に設けられた反射テープ等のマーキングを検知してＩ−ｔｏｐ信号を出力する。
【００４４】
前記感光体１の外周の長さとベルト２の周長は、１：ｎ（ｎは整数）で表される整数比になっている。このように設定しておくと、ベルト２が１周する間に、感光体１が整数回転し、ベルト１周前とまったく同じ状態に戻るため、中間転写ベルト２上に４色を重ね合わせる際に（ベルトは４周回る）、感光体１の回転ムラによる色ズレを回避することが可能である。
【００４５】
上記のような中間転写方式の画像形成装置においては、Ｉ−ｔｏｐ信号を検知したのち、所定時間経過後にレーザースキャナからなる画像制御部５で露光を開始する。また、前述したとおり、ベルト２が１周する間に、感光体１が整数回転し、ベルト１周前とまったく同じ状態に戻るため、ベルト２上では常に同じ位置にトナー像が形成される。用紙サイズによって、トナー像サイズも変化するが、ベルト２上にはトナー像が絶対にのらない範囲が存在する。
【００４６】
（画像形成装置の制御系）
次に、図２に本装置の制御系ブロック図を示す。
【００４７】
本装置は全て、システムコントローラ１０１によって統括的にコントロールされる。システムコントローラ１０１は、主に本装置内の各負荷の駆動、センサ類の情報収集解析及び前述した画像処理装置５１、画像制御部５に加えて、操作部１０２、即ちユーザインターフェースとのデータの交換の役割を担っている。システムコントローラ１０１の内部構成は、上述した役割を担うために、ＣＰＵ１０１ａが搭載されており、ＣＰＵ１０１ａは、同様にシステムコントローラ１０１に搭載されたＲＯＭ１０１ｂに格納されたプログラムによって、予め決められた画像形成シーケンスに纏わる様々なシーケンスを実行する。また、その際、一次的または恒久的に保存することが必要な書換可能なデータを格納するために、ＲＡＭ１０１ｃも搭載されている。ＲＡＭ１０１ｃには、例えば後述する高圧制御部１０５への高圧設定値、後述する各種データ、操作部１０２からの画像形成指令情報などが保存されることになる。
【００４８】
システムコントローラ１０１の第１の役割である画像処理装置５１、画像制御部５、操作部１０２とのデータ交換について説明する。画像処理装置５１とは図示しないＣＣＤからの画像信号をＡ／Ｄ変換、Ｓ／Ｈ、シェーディング補正、マスキング補正、変倍、ＬＯＧ変換等の画像処理を実施している。これらの画像処理に必要な各部の仕様設定値データを送出することに加えて、各部からの信号、例えば原稿画像濃度信号などを受信して、後述する高圧制御部１０５や画像制御部５を制御して最適な画像形成を行うための設定を行う。画像制御部５とは、画像形成するための画像サイズの規定と、画像処理されたデジタルのビデオデータに基づいて、最適にレーザをコントロールする、即ち、本装置ではレーザ発光をＰＷＭ処理するために必要な設定を行っている。操作部１０２とは、ユーザにより設定された複写倍率、濃度設定値などの情報を得ることに加えて、画像形成装置の状態、例えば画像形成枚数や画像形成中か否かの情報、ジャムの発生やその箇所等をユーザに示すためのデータを送出している。
【００４９】
次にシステムコントローラ１０１の第２の役割である装置内の各負荷の駆動、センサ類の情報収集解析について説明する。本装置は、装置内部の各所にモータ、クラッチ／ソレノイド等のＤＣ負荷及び、フォトインターラプターやマイクロスイッチ等のセンサが配置されている。つまり、モータの駆動や各ＤＣ負荷を適宜駆動させることで、記録紙の搬送や各ユニットの駆動を行っており、その動作を監視しているものが各種センサである。そこでシステムコントローラ１０１は、各種センサ類１０９からの信号をもとに、モータ制御部１０７に各モータをコントロールさせると同時に、ＤＣ負荷制御部１０８により、クラッチ／ソレノイドを動作させて画像形成動作を円滑に進めている。また、高圧制御部１０５に各種高圧制御信号を送出することで、高圧ユニット１０６を構成する各種帯電器である１次帯電器４、カラー現像ユニット７、白黒現像ユニット８、転写帯電器９に適切な高圧を印可させている。更に前述した定着装置３内の定着ローラ２１、加圧ローラ２３、外部加熱ローラ２９には、それぞれローラを加熱するためのヒータ１１１が内蔵されており、その各ヒータはＡＣドライバ１１０によってＯＮ／ＯＦＦ制御されている（ここでは、各ローラに対する後述するヒータ２２，２４，３０をヒータ１１１により代表させる。）。またこの際、定着ローラ２１、加圧ローラ２３、外部加熱ローラ２９にはその温度を測定するためのサーミスタ１０４がそれぞれ設けられ（ここでは、各ローラに対する後述するサーミスタ３４，３６，３２をサーミスタ１０４によって代表させる。）、Ａ／Ｄコンバータ１０３によって、各ローラ２１、２３、２９の温度変化に応じたサーミスタ１０４の抵抗値変化を電圧値に変換した後、デジタル値としてシステムコントローラ１０１に入力される。この温度データをもとに前述のＡＣドライバ１１０を制御することになる。
【００５０】
また、ＡＣドライバ１１０は、定着ローラ２１、加圧ローラ２３、外部加熱ローラ２９には、それぞれのローラを加熱するためのヒータへの電力供給を通電／遮断する定着リレー１１２の駆動も行っている。この定着リレー１１２は、システムコントローラ１０１からのオン・オフ制御信号をもとに制御される。装置の異常時等にはこの定着リレー１１２によってすべてのヒータの供給電源を遮断して画像形成装置を保護している。ここでは、定着リレー１１２がスイッチ素子としての共通スイッチ手段を構成する。
【００５１】
（定着装置の構成）
図３は本発明の実施の形態に係わる定着装置を示す構成図である。
【００５２】
定着装置３には、内部に第１の加熱体である定着ヒータ２２を有する定着部材となる定着ローラ２１と、同じく内部に第３の加熱体である加圧ヒータ２４を有する加圧部材となる加圧ローラ２３とが、図示しない加圧機構によって互いに圧接しながら回転可能に配置された定着手段が構成されている。
【００５３】
定着ローラ２１と加圧ローラ２３は、回転駆動手段である定着モータ２６からの駆動を伝えられることで回転する。定着モータ２６の駆動／停止は、カラー複写機の動作モードや定着ローラの表面温度の条件等に従って、システムコントローラ１０１によって制御される。また定着モータ２６には、回転検出手段が設けられており、この回転検出手段からモータが所定の回転状態にあるか、否かを示す回転検知信号が出力されており、この信号は、後述する異常判断手段である接離異常判断手段６２および、制御手段であるシステムコントローラ１０１へ入力される。
【００５４】
定着ローラ２１及び加圧ローラ２３には温度検知体であるサーミスタ３４，３６が当接されており、該サーミスタ３４，３６によって定着ローラ２１及び加圧ローラ２３の表面温度が検知される。前述のように、この検知情報に基づいて、システムコントローラ１０１はＡＣドライバ１１０を介して、定着ヒータ２２，加圧ヒータ２４を制御し、定着ローラ２１及び加圧ローラ２３の温度を共に設定温度（ここでは定着ローラ２１が２００℃、加圧ローラ２３が１７０［℃］）に維持するように制御する。
【００５５】
前記定着ローラ２１は、アルミニウム製の芯金の外周にＨＴＶ（高温加硫型）シリコーンゴム層が設けられ、更に該ＨＴＶシリコーンゴム層の外周に耐熱弾性層としてＲＴＶ（室温加硫型）シリコーンゴム層が設けられ、厚さ３［ｍｍ］、直径４０［ｍｍ］で構成されている。
【００５６】
一方、加圧ローラ２３は、アルミニウム製の芯金の外周に１［ｍｍ］厚のＨＴＶシリコーンゴム層が設けられ、更に該ＨＴＶシリコーンゴム層の外周にフッ素樹脂層が設けられ、直径４０［ｍｍ］で構成されている。上記のような構成の定着ローラ２１及び加圧ローラ２３を組み合わせることによってトナーに対する離型性をより一層高めている。
【００５７】
また、定着ローラ２１の外周面には、外部加熱体である外部加熱ローラ２９が接離可能に構成されている。
【００５８】
外部加熱ローラ２９は、接離検知手段である接離センサ６１からの信号をもとに、システムコントローラ１０１によって、接離手段６０を介して、定着ローラ２１の外周面に対して接離するようになっている。接離センサ６１は、外部加熱ローラ２９が定着ローラ２１に対して、当接の位置にあるか、あるいは離間の位置にあるかを検出するセンサであり、後述する接離異常判断手段６２にもその状態信号が入力されている。
【００５９】
外部加熱ローラ２９は定着ローラ２１に対して当接した際に、図示しないバネによって圧接され、定着ローラ２１に従動して回転する。また外部加熱ローラ２９は、断熱ブッシュ等の支持棒によって支持される。そして、その支持棒が接離手段６０によって移動されることによって、定着ローラ２１への接離がなされる。この接離は、公知の技術であるモータやバネクラッチ、ソレノイド等を利用して達成される。
【００６０】
前記外部加熱ローラ２９は、内部に第３の加熱体である外部加熱ヒータ３０を内蔵しており、その外周には、例えば、熱伝導率の高いアルミニウム、鉄、ステンレス等の金属、或いは高離型性を持つゴム、樹脂等を前記金属表面にコートして構成される。
【００６１】
また外部加熱ローラ２９には温度検知体であるサーミスタ３２が当接されており、該サーミスタ３２によって外部加熱ローラ２９の表面温度が検知される。前述のように、この検知情報に基づいて、システムコントローラ１０１はＡＣドライバ１１０を介して、外部加熱ヒータ３０を制御し、外部加熱ローラを設定温度（ここでは外部加熱ローラ：２３０℃）に維持するように制御する。
【００６２】
このようにして温調された定着装置３により、記録紙上に転写されたトナー等の現像剤で形成された未定着画像が定着ローラ２１と加圧ローラ２３とのニップ部を通過して加熱、加圧されて記録紙上に定着されるようになっている。
【００６３】
次に図４、図５を用いて、本発明の実施形態の詳細について説明する。図４は、接離異常判断手段６２に入力される、定着リレー１１２の制御信号、定着モータ２６の回転検知信号、接離センサ６１の接離状態信号の、３つの信号の論理より、接離機構の異常判断を検出するシーケンス図である。なお、本実施例では、定着リレー１１２の制御信号はシステムコントローラ１０１から出力される制御信号を受け取っているが、定着リレーの駆動状態を検知できる信号であれば、他のユニットから該信号を受け取る構成として構わない。ここでは、システムコントローラ１０１が共通スイッチ制御手段を構成する。
【００６４】
図５の６２は、接離異常判断手段内部の回路を示したブロック図であり、上記３つの信号の論理から、接離機構の異常判断を行うための回路の一例である。すなわち、この接離異常判断手段６２では、４０１のロジックと４０２のタイマー回路より、定着リレー制御信号がＨでオン状態にあり、かつ定着モータの回転検知信号がＨで停止状態にあり、かつさらに接離センサ信号がＬで当接である状態が、予め設定された所定時間ｔの間持続した場合に、接離機構の異常状態であると検知するものである。ここで４０２のタイマーで計数される所定時間ｔは、誤動作防止の為に１０秒の固定値としているが、装置の都合にあわせて別の所定時間、あるいは可変にできるように構成しても構わない。また、４０１のロジックは、本実施例でのカラー複写機の論理に合わせて構成しているが、定着リレー１１２の制御信号、定着モータ２６の回転検知信号、接離センサ６１の接離状態信号の、３つの信号の論理は、回路構成やメカ構成によって変化する際には、その装置のそれぞれの信号論理にあわせて４０１のロジックを構成すれば、同じ異常検知の判断機構を実現できる。
【００６５】
また本実施例のように、ＡＣドライバ１１０への定着リレーのオフオン信号を、接離異常判断手段６２の異常検知信号と、ＣＰＵ１０１ａからの定着リレー制御信号をもとにロジック４０３によって生成すれば、接離機構の異常時にはＡＣドライバ１１０への定着リレーのオフオン信号が「オフ側」に固定されるので、強制的に定着リレーがオフされて装置を保護することができる。ここで接離機構判断手段６２にはラッチ回路４０４を設けているので、一旦異常を検出した場合には、カラー複写機の電源をオフ／オンして、異常状態が解消されるまで、定着リレーをオフし続けることができる。
【００６６】
更に、本実施例では上記接離機構判断手段６２やロジック４０３を、ハード回路で構成しているため、仮にソフトが暴走して、定着ローラ２１の停止時に外部加熱ローラの当接制御をしてしまった場合にも、ハード的に定着リレー１１２を強制オフできるため、定着ローラの保護性能が高められる。
【００６７】
（画像形成装置における制御の詳細）
次に、本発明に係わる制御の詳細を、図６から図１０を用いて説明する。
【００６８】
（ウォームアップ時における制御）
図６はウォームアップ時における制御の詳細である。まず図３に示すようにカラー複写機の主電源を投入されると（Ｓ１）、外部加熱ローラ２９はホームポジションへ移動させる（Ｓ２）。ここで、ホームポジションとは、外部加熱ローラ２９が、定着ローラ２１に対して離間する所定位置を示す。続いて定着リレーをオンし（Ｓ３）、接離エラー検知シーケンスが開始される（Ｓ４）。接離エラー検知シーケンスについては図１０を用いて説明する。
【００６９】
（接離エラー検知シーケンス）
接離エラー検知シーケンスフロー：図１０に電源チェック動作シーケンスフローの例を示す。本シーケンスは、接離異常判断手段６２から、定着リレー制御信号がオン状態にあり、かつ定着モータの回転検知信号が停止状態にあり、かつさらに接離センサ信号が当接である状態が予め設定された所定時間間持続した場合に送出されるエラー信号を、システムコントローラ１０１が所定のインターバルで監視を行うものであり、その所定のインターバルは、システムコントローラ１０１内のＣＰＵ１０１ａによって計数される一定周期の時間となる。
【００７０】
接離エラー検知シーケンスがスタートすると（Ｓ６０）、システムコントローラ１０１が接離異常判断手段６２からの信号をもとに、接離異常状態にあるか、否かを判断し（Ｓ６１）、異常状態ではない場合には、通常動作を持続し（Ｓ６６）、一旦接離エラー検知シーケンスを終了して（Ｓ６７）、再び次の接離エラー検知シーケンスが開始されるまで待つ。
【００７１】
一方、Ｓ６１にて、異常状態にある場合には、システムコントローラに設けた不図示のエラーカウンタを１進め、エラーカウンタ値が所定値（ここでは３以上）になった場合には（Ｓ６３）、接離異常であると判断する。このエラーカウンタは、接離異常判断手段６２から受け取る信号へのノイズによる誤判断を防止するものであり、複数回連続してエラー状態が続いたときに異常と判断を行うものである。
【００７２】
Ｓ６３にて、エラーカウンタ値が所定値を超え、接離異常状態であると認識した場合には、定着リレーが強制オフされるとともに、システムコントローラ１０１は、定着装置３内の各ヒータ２２、２４、３０をオフし（Ｓ６４）、その他各種のエラー処理を行った上で、カラー複写機をエラー停止する（Ｓ６５）。
【００７３】
なお、本シーケンスとは別に、システムコントローラ１０１内のＣＰＵ１０１ａにおいて外部加熱ローラ２９を接離制御する際に、当接あるいは離間の制御状態と、接離センサからの当接状態／離間状態の信号との一致／不一致を確認し、ソフトウェア上でのエラー検知も実施している。
【００７４】
図６のウォームアップ時における制御の説明に戻る。外部加熱ローラ２９、定着ローラ２１、加圧ローラ２３の表面温度がそれぞれ制御温度２３０℃、２００℃、１７０℃に達しているか否かをチェックする（Ｓ５）。ここで、該温度に各々の表面温度が達している場合には、定着モータ２６をオフ、外部加熱ローラ２９を定着ローラ２１から離間させたうえで、スタンバイに移行する。（ただし電源オン直後には、定着モータ２６はオフ、外部加熱ローラ２９は定着ローラ２１から離間、の状態に予め制御されている）。
【００７５】
一方、該温度に各々の表面温度が達していない場合には（Ｓ５）、次に定着ローラ２１の表面温度が制御温度２００℃に達しているか否かのチェックが行われる（Ｓ６）。
【００７６】
ここで制御温度に達していない場合には定着ヒータ２２をオンし（Ｓ７）、達している場合には定着ヒータ２２をオフする（Ｓ８）。
【００７７】
続いて、加圧ローラ２３の表面温度が制御温度１７０℃に達しているか否かのチェックが行われる（Ｓ９）。
【００７８】
ここで制御温度に達していない場合には加圧ヒータ２４をオンし（Ｓ１０）、達している場合には加圧ヒータ２４をオフする（Ｓ１１）。
【００７９】
更に続いて、外部加熱ローラ２９の表面温度が制御温度２３０℃に達しているか否かをチェックし（Ｓ１２）、達していない場合には外部加熱ヒータ３０をオンし（Ｓ１３）、達している場合には外部加熱ヒータ３０オフする（Ｓ１４）。
【００８０】
上記シーケンスに続いて、次に定着ローラ２１、外部加熱ローラ２９のそれぞれの表面温度が、外部加熱ローラ２９を当接する温度に達しているか、否かのチェックを行い（Ｓ１５）、ここで各々のローラの表面温度が所定温度に達している場合（ここでは定着ローラ２１が１２０℃、外部加熱ローラ２９が２００℃）は、まず定着ローラの回転を開始し、次に外部加熱ローラ２９を、定着ローラ２１に当接する（Ｓ１６）。なお、本ウォームアップシーケンスの初期状態において、定着ローラ２１は停止しており、かつ外部加熱ローラ２９は、定着ローラ２１に対して離間している。
【００８１】
以上の動作を、外部加熱ローラ２９、定着ローラ２１、加圧ローラ２３の表面温度がそれぞれ制御温度２３０℃、２００℃、１７０℃に達するまで行われ、夫々の表面温度が各々制御温度に達すると、後述のスタンバイシーケンスに移る。
【００８２】
（スタンバイシーケンス）
図７を用いてスタンバイシーケンスについて説明する。
【００８３】
スタンバイに移行すると（Ｓ２０）、まず定着ローラ２１の表面温度が制御温度２００℃に達しているか否かのチェックが行われる（Ｓ２１）。ここで制御温度に達していない場合には定着ヒータ２２をオンし（Ｓ２２）、達している場合には定着ヒータ２２をオフする（Ｓ２３）。
続いて、加圧ローラ２３の表面温度が制御温度１７０℃に達しているか否かのチェックが行われる（Ｓ２４）。
【００８４】
ここで制御温度に達していない場合には加圧ヒータ２４をオンし（Ｓ２５）、達している場合には加圧ヒータ２４をオフする（Ｓ２６）。
【００８５】
更に続いて、外部加熱ローラ２９の表面温度が制御温度２３０℃に達しているか否かをチェックし（Ｓ２７）、達していない場合には外部加熱ヒータ３０をオンし（Ｓ２８）、達している場合には外部加熱ヒータ３０オフする（Ｓ２８）。
【００８６】
以上の動作を、カラー複写機が画像形成動作を行うまでのスタンバイ中にて行われ、画像形成動作が開始すると、後述のコピーシーケンスに移る。
【００８７】
（コピーシーケンス）
続いて図８を用いてコピーシーケンスについて説明する。
【００８８】
コピーシーケンスが開始されると（Ｓ３０）、まず定着ローラの回転を開始し、次に外部加熱ローラ２９を、定着ローラ２１に当接する（Ｓ３１）。また加圧ヒータ２４は、電力を抑える為に、コピーシーケンス中はオフするが（Ｓ３２）、加圧ヒータがオフされていても充分に定着性能が得られるように、本定着装置３は設計されている。
【００８９】
続いて定着ローラ２１の表面温度が制御温度２００℃に達しているか否かのチェックが行われる（Ｓ３３）。ここで制御温度に達していない場合には定着ヒータ２２をオンし（Ｓ３４）、達している場合には定着ヒータ２２をオフする（Ｓ３５）。
【００９０】
更に続いて、外部加熱ローラ２９の表面温度が制御温度２３０℃に達しているか否かをチェックし（Ｓ３６）、達していない場合には外部加熱ヒータ３０をオンし（Ｓ３７）、達している場合には外部加熱ヒータ３０をオフする（Ｓ３８）。
【００９１】
上記シーケンスはコピー動作（＝画像形成動作）が終了するまで行われる。まだコピー動作が終了しない場合にはＳ３３に戻り、終了した場合には次の後回転シーケンスへと移行する（Ｓ４０）。
【００９２】
次には図９を用いて後回転シーケンスについて説明する。後回転シーケンスが開始されると（Ｓ４１）、まず外部加熱ローラ２９、定着ローラ２１、加圧ローラ２３の表面温度がそれぞれ制御温度２３０℃、２００℃、１７０℃に達しているか否かをチェックする（Ｓ４２）。
【００９３】
ここで、該温度に各々の表面温度が達している場合には、外部加熱ローラ２９を定着ローラ２１から離間し、定着ローラ２１の回転を停止して（Ｓ５２）、スタンバイに移行する（Ｓ５３）。
【００９４】
一方、該温度に各々の表面温度が達していない場合には、次に定着ローラ２１の表面温度が制御温度２００℃に達しているか否かのチェックが行われる（Ｓ４３）。
【００９５】
ここで制御温度に達していない場合には定着ヒータ２２をオンし（Ｓ４４）、達している場合には定着ヒータ２２をオフする（Ｓ４５）。
【００９６】
続いて、加圧ローラ２３の表面温度が制御温度１７０℃に達しているか否かのチェックが行われる（Ｓ４６）。
【００９７】
ここで制御温度に達していない場合には加圧ヒータ２４をオンし（Ｓ４７）、達している場合には加圧ヒータ２４をオフする（Ｓ４８）。
【００９８】
更に続いて、外部加熱ローラ２９の表面温度が制御温度２３０℃に達しているか否かをチェックし（Ｓ４９）、達していない場合には外部加熱ヒータ３０をオンし（Ｓ５０）、達している場合には外部加熱ヒータ３０オフする（Ｓ５１）。
【００９９】
以上の動作を、外部加熱ローラ２９、定着ローラ２１、加圧ローラ２３の表面温度がそれぞれ制御温度２３０℃、２００℃、１７０℃に達するまで行われ、夫々の表面温度が各々制御温度に達すると、再びスタンバイシーケンスに移る。
【０１００】
以上の本発明における実施例では、接離異常判断手段６２に入力するヒータの制御信号として、定着リレー１１２の制御信号を入力しているが、これを定着装置３内の各ヒータ２２、２４、３０のオン制御信号のうちの、１つあるいは複数の制御信号を入力してもよい。
【０１０１】
また、本発明における実施例では、接離異常判断手段６２によって接離機構の異常が検出された場合に、定着リレー１１２をオフさせるように回路を構成しているが、異常検出時の処理はこれに限られない。定着装置３内の各ヒータ２２、２４、３０には、定着リレー１１２を介してＡＣドライバ１１０と各ヒータ２２、２４、３０との間をそれぞれ電気的に接続及び切断するスイッチが設けられており、ＡＣドライバ１１０から出力される制御信号によって各スイッチのオン・オフが制御される。従って、異常検出時の処理としては、定着リレー１１２に対するオン制御信号をオフさせるのではなく、ＡＣドライバ１１０から出力される各ヒータ２２、２４、３０のオン制御信号のうちの、１つあるいは複数の制御信号をオフさせるように回路を構成してもよい。このような各ヒータ２２、２４、３０のスイッチは、例えばトライアックのような半導体スイッチ手段によって構成することができるが、これに限られない。ここでは、定着ヒータに対するスイッチが第１のスイッチ手段に、外部加熱ヒータに対するスイッチが第２のスイッチ手段に、ＡＣドライバ１１０が第１及び第２のスイッチ制御手段にそれぞれ相当する。
【０１０２】
また、接離異常判断手段６２によって接離機構の異常が検出された場合に、定着リレー１１２をオフかつ、定着装置３内の各ヒータ２２、２４、３０のオン制御信号のうちの、１つあるいは複数の制御信号をオフさせるように回路を構成してもよい。
【０１０３】
なお、加圧ローラ２３には、内部に熱源であるハロゲンヒータ２４を用いて構成した場合について説明したが、ハロゲンヒータ２４を有さずに構成することも可能である。
【０１０４】
また、前記定着部材対として定着ローラ４０、加圧ローラ４１からなる２本のローラ系で構成したが、ローラの他にベルト系を用いて構成してもよい。
また更に、前記外部加熱部材として外部加熱ローラ２９を用いて構成した場合について説明したが、ローラの他に、樹脂、ゴム、金属等で構成されるベルトや、非接触タイプの熱源を用いて構成することも可能である。
【０１０５】
また、定着ローラ２１、加圧ローラ２３、及び外部加熱ローラ２９の表面温度検知体を接触式として構成したが、これらを非接触として構成することも可能である。
【０１０６】
（実施態様）
本発明は以下の実施態様を含む。
【０１０７】
（実施態様１）  第一の加熱体を有し、記録材上の未定着像を熱により記録材に定着する定着部材と、第二の加熱体を有し、外部から定着部材を加熱する外部加熱体と、定着部材を回転させる回転駆動手段と、外部加熱体を定着部材に接離可能とする接離手段と、第一の加熱体と第二の加熱体へ電力を供給遮断するスイッチ素子と、を有する定着装置において、
回転駆動手段と接離手段とスイッチ素子との動作に基づいて外部加熱体の加熱動作の異常を判断する異常判断手段を有することを特徴とする定着装置。
【０１０８】
（実施態様２）  前記回転駆動手段が回転又は停止のいずれの状態にあるかを検知する回転検知手段を備え、
前記異常判断手段は、前記回転検知手段の検知結果に基づいて、前記回転駆動手段が回転又は停止のいずれの状態にあるかを判断する実施態様１に記載の定着装置。
【０１０９】
（実施態様３）  前記外部加熱体が、前記定着部材に対して当接又は離間のいずれの状態にあるかを検知する接離検知手段を備え、
前記異常判断手段は、前記接離検知手段の検知結果に基づいて、前記外部加熱体が前記定着手段に対して当接又は離間のいずれの状態にあるかを判断する実施態様１又は２に記載の定着装置。
【０１１０】
（実施態様４）オン・オフを切り替えて、前記第１の加熱体と電源との間を電気的に接続及び切断する前記スイッチ素子としての第１のスイッチ手段と、
オン・オフを切り替えて、前記第２の加熱体と電源との間を電気的に接続及び切断する前記スイッチ素子としての第２のスイッチ手段と、
前記第１のスイッチ手段に対して制御信号を出力して、該第１のスイッチ手段のオン・オフを制御する第１のスイッチ制御手段と、
前記第２のスイッチ手段に対して制御信号を出力して、該第２のスイッチ手段のオン・オフを制御する第２のスイッチ制御手段と、
を備え、
前記異常判断手段は、前記第１のスイッチ制御手段から前記第１のスイッチ手段に対して出力される制御信号及び前記第２のスイッチ制御手段から前記第２のスイッチ手段に出力される制御信号に基づいて、前記第１及び第２の加熱体が通電されているか否かを判断する実施態様１乃至３のいずれかに記載の定着装置。
【０１１１】
（実施態様５）  オン・オフを切り替えて、前記第１及び第２の加熱体と電源との間を共通して電気的に接続及び切断する前記スイッチ素子としての共通スイッチ手段と、
前記共通スイッチ手段に対して制御信号を出力して、該共通スイッチ手段のオン・オフを制御する共通スイッチ制御手段と、
を備え、
前記異常判断手段は、前記共通スイッチ制御手段から前記共通スイッチ手段に対して出力される制御信号に基づいて、前記第１及び第２の加熱体が通電されているか否かを判断する実施態様１乃至４のいずれかに記載の定着装置。
【０１１２】
（実施態様６）  前記定着部材に圧接し、該定着部材との間に前記画像記録媒体を挟持する加圧部材と、
前記加圧部材の内部に設けられた第３の加熱体と、
を備え、
前記異常判断手段は、前記外部加熱体が前記定着部材に対して当接又は離間のいずれの状態にあるかと、前記回転駆動手段が回転又は停止のいずれの状態にあるかと、前記第１，第２及び第３の加熱体が通電されているか否かに基づいて、前記外部加熱体による前記定着部材に対する加熱動作の異常を判断する実施態様１乃至３のいずれかに記載の定着装置。
【０１１３】
（実施態様７）  前記異常判断手段は、
前記第１及び第２の加熱体の少なくともいずれかが通電されており、
かつ、前記回転駆動手段が停止しており、
かつ、前記外部加熱体が前記定着部材に当接している状態が、所定時間継続した場合に、
前記外部加熱体による前記定着部材に対する加熱動作の異常であると判断する実施態様１乃至５のいずれかに記載の定着装置。
【０１１４】
（実施態様８）  前記異常判断手段が異常と判断した場合に、通電されている前記第１及び第２の加熱体の少なくともいずれかに対する通電を遮断する制御手段を備えた実施態様７に記載の定着装置。
【０１１５】
（実施態様９）  前記異常判断手段は、
前記第１，第２及び第３の加熱体の少なくともいずれかが通電されており、
かつ、前記回転駆動手段が停止しており、
かつ、前記外部加熱体が前記定着部材に当接している状態が、所定時間継続した場合に、
前記外部加熱体による前記定着部材に対する加熱動作の異常であると判断する実施態様６に記載の定着装置。
【０１１６】
（実施態様１０）  前記異常判断手段が異常と判断した場合に、通電されている前記第１，第２及び第３の加熱体の少なくともいずれかに対する通電を遮断する制御手段を備えた実施態様９に記載の定着装置。
【０１１７】
（実施態様１１）  前記第１及び第２のスイッチ手段の少なくともいずれかを半導体スイッチ又は接点式のリレーによって構成した実施態様４に記載の定着装置。
【０１１８】
（実施態様１２）  前記共通スイッチ手段を半導体スイッチ又は接点式のリレーによって構成した実施態様５に記載の定着装置。
【０１１９】
（実施態様１３）  未定着画像を画像記録媒体上に加熱・加圧定着させる定着装置であって、回転駆動されるとともに、内部に第１の加熱体を有し、前記画像記録媒体を加熱する定着部材と、前記定着部材に接離するとともに、内部に第２の加熱体を有し、前記定着部材を外部から加熱する外部加熱体と、を備えた定着装置において、前記外部加熱体による前記定着部材に対する加熱動作の異常を処理する異常処理方法であって、
前記外部加熱体が前記定着部材に対して当接又は離間のいずれの状態にあるかを判断するステップと、
前記定着部材が回転駆動されているか停止しているかを判断するステップと、
前記第１及び第２の加熱体が通電されているか否かを判断するステップと、
前記外部加熱体が前記定着部材に対して当接又は離間のいずれの状態にあるかと、前記回転駆動手段が回転又は停止のいずれの状態にあるかと、前記第１及び第２の加熱体の少なくともいずれかが通電されているか否かに基づいて、前記外部加熱体による前記定着部材に対する加熱動作の異常の有無を判断するステップと、
を有する異常処理方法。
【０１２０】
（実施態様１４）  外部加熱体による前記定着部材に対する加熱動作の異常の有無を判断するステップにおいて、前記前記第１及び第２の加熱体の少なくともいずれかが通電されており、かつ、前記回転駆動手段が停止しており、かつ、前記外部加熱体が前記定着部材に当接しているとの判断された状態が、所定時間又は所定回数継続した場合に、前記外部加熱体による前記定着部材に対する加熱動作の異常であると判断する実施態様１３に記載の異常処理方法。
【０１２１】
（実施態様１５）  さらに、前記外部加熱体による前記定着部材に対する加熱動作の異常であると判断した場合に、通電されている前記第１及び第２の加熱体の少なくともいずれかに対する通電を遮断するステップを含む実施態様１４に記載の異常処理方法。
【０１２２】
【発明の効果】
本発明は、上述の如き構成と作用とを有するので、定着部材を回転駆動する手段の異常停止や、外部加熱体を接離させる手段の動作不良、およびこれらを制御するソフトウェアの暴走等により、定着部材が停止している時に外部加熱体が当接してしまう場合においても、定着部材を傷や劣化から保護することができる。
【図面の簡単な説明】
【図１】本発明に係わる画像形成装置の構成図である。
【図２】本発明に係わる画像形成装置の制御系のブロック図である。
【図３】本発明に係わる定着装置の概要を示す図である。
【図４】本発明に係わる接離機構の異常判断手段の処理内容を示す図である。
【図５】本発明に係わる接離機構の異常判断手段の実施形態を示す図である。
【図６】本発明に係わる画像形成装置の制御を示すフローチャートである。
【図７】本発明に係る画像形成装置のスタンバイシーケンスを示すフローチャートである。
【図８】本発明に係る画像形成装置のコピーシーケンスを示すフローチャートである。
【図９】本発明に係る画像形成装置の後回転シーケンスを示すフローチャートである。
【図１０】本発明に係る画像形成装置の接離エラー検知シーケンスを示すフローチャートである。
【符号の説明】
３…定着装置
２１…定着ローラ
２２…定着ヒータ
２３…加圧ローラ
２４…加圧ヒータ
２６…定着モータ
２９…外部加熱ローラ
３０…外部加熱ヒータ、
３２…外部加熱ローラサーミスタ
３４…定着ローラサーミスタ
３６…加圧ローラサーミスタ
４０…カラー電子写真複写機
６０…接離手段
６１…接離センサ
６２…接離異常判断手段
１０１…システムコントローラ
１１０…ＡＣドライバ
１１１…定着ヒータ
１１２…定着リレー
【図１】
2004341177.tif 000003
【図２】
2004341177.tif 000004
【図３】
2004341177.tif 000005
【図４】
2004341177.tif 000006
【図５】
2004341177.tif 000007
【図６】
2004341177.tif 000008
【図７】
2004341177.tif 000009
【図８】
2004341177.tif 000010
【図９】
2004341177.tif 000011
【図１０】
2004341177.tif 000012